(57)【特許請求の範囲】
【請求項１】
レンズを備える左右一対の内リムがブリッジで連結された内側フレームと、
互いに離間して設けられる左右一対の外リムがそれぞれの外端部に蝶番を介してテンプルを備える外側フレームとを有し、
前記ブリッジと左右一対の前記外リムとの間を弾性連結体で連結して、前記内側フレームと前記外側フレームとが一体化されていることを特徴とする眼鏡フレーム。
【請求項２】
前記弾性連結体について、前記外リムに連結される外側固定部間の距離が、前記ブリッジに連結される内側固定部間の距離に対して３倍以上であることを特徴とする請求項１に記載の眼鏡フレーム。
【請求項３】
前記外リムが、ハーフリムタイプであることを特徴とする請求項１又は２に記載の眼鏡フレーム。
【請求項４】
前記内リムが、ナイロールタイプであることを特徴とする請求項１乃至３の何れか１項に記載の眼鏡フレーム。
【請求項５】
ノーズパッドが、前記内側フレームに取付けられていることを特徴とする請求項１乃至４の何れか１項に記載の眼鏡フレーム。
【発明の詳細な説明】
【技術分野】
【０００１】
本発明は眼鏡フレームに関し、特に、テンプルを大きく開いた場合でも、レンズに影響を与えることのない眼鏡フレームに関する。
【背景技術】
【０００２】
一般に、眼鏡フレームは、一対のレンズを保持するフロント枠の両端部に蝶番を介してテンプルが連結されている。フロント枠としては、フルリムタイプ、ハーフリムタイプ、又はツーポイントと呼ばれるリムレスのものがある。
【０００３】
使用者が通常眼鏡フレームを使用しているときは、フロント枠に対してテンプルが最大に拡開した状態（最大拡開状態）で使用している。すなわち、使用者が眼鏡フレームを購入する際に、蝶番の開き具合やテンプルの曲がり具合を調節して、テンプルが頭部に大きな力を及ぼすことがなく、また、頭部に密着するようにしている。
【０００４】
しかしながら、眼鏡を装着する際や取り外す際には、使用者は、無意識に最大拡開状態よりもさらに大きくテンプルを広げている。このために、眼鏡フレームを長期間使用していると、次第にテンプルが頭部に密着しなくなり、使用に支障を来すようになる。また、時にはフロント枠に大きな力が作用して、レンズを破損させることもある。
【０００５】
例えば、特許文献１には、テンプルを大きく開いた場合でもレンズに力が作用することのない眼鏡フレームが記載されている。図６に示すように、この眼鏡フレーム１１０は、Ｌ字状をなして、レンズ１６０の内側部を保持する左右一対のレンズステー１２２と、この一対のレンズステー１２２を連結するブリッジ１２３と、レンズステー１２２にそれぞれ連結される長尺の鎧部１２４と、この鎧部１２４に蝶番１３０を介して折り畳み可能に連結されるテンプル１３１とを備え、両レンズステー１２２にはレンズ１６０を保持するレンズ止め１６２が取付けられている。
【０００６】
ここで、レンズ１６０は、レンズ止め１６２によって、レンズステー１２２にワンポイントで取付けられている。このため、テンプル１３１を大きく開いた場合でも、両レンズ１６０には殆ど力が作用しないようになっている。また、テンプル１３１とともに、長尺の鎧部１２４が弾性を有しているので、大きな拡開を繰り返しても、テンプル１３１及び鎧部１２４の弾性範囲内とすることができる。
【０００７】
しかしながら、特許文献１に記載された発明のみでは、デザインの幅が限られており、フルリムタイプのフロント枠等については、同様の機能を備える他のデザインを開発する必要がある。
【先行技術文献】
【特許文献】
【０００８】
【特許文献１】特開２００８−７６７４３号公報
【発明の概要】
【発明が解決しようとする課題】
【０００９】
そこで、本発明の目的は、テンプルを大きく開いた場合でも、そのレンズには殆ど力が作用しない眼鏡フレームであって、斬新なデザインを備えるとともに、さらに幅広いデザインの展開が可能な眼鏡フレームを提供することにある。
【課題を解決するための手段】
【００１０】
上記の課題を解決するために、本発明の請求項１に係る眼鏡フレームは、レンズを備える左右一対の内リムがブリッジで連結された内側フレームと、互いに離間して設けられる左右一対の外リムがそれぞれの外端部に蝶番を介してテンプルを備える外側フレームとを有し、前記ブリッジと左右一対の前記外リムとの間を弾性連結体で連結して、前記内側フレームと前記外側フレームとが一体化されている手段を採用している。
【００１１】
また、本発明の請求項２に係る眼鏡フレームは、請求項１に記載の眼鏡フレームにおいて、前記弾性連結体について、前記外リムに連結される外側固定部間の距離が、前記ブリッジに連結される内側固定部間の距離に対して３倍以上である手段を採用している。また、本発明の請求項３に係る眼鏡フレームは、請求項１又は２に記載の眼鏡フレームにおいて、前記外リムが、ハーフリムタイプである手段を採用している。また、本発明の請求項４に係る眼鏡フレームは、請求項１乃至３の何れか１項に記載の眼鏡フレームにおいて、前記内リムが、ナイロールタイプである手段を採用している。
【００１２】
また、本発明の請求項５に係る眼鏡フレームは、請求項１乃至４の何れか１項に記載の眼鏡フレームにおいて、ノーズパッドが、前記内側フレームに取付けられている手段を採用している。
【発明の効果】
【００１３】
上記のような構成としたことにより、本発明の眼鏡フレームは、実用的であるとともに斬新なデザインを備えた眼鏡フレームであって、レンズに力を殆ど作用させることなく、テンプルを大きく開くことができる。また、デザインは、さらに幅広いバリエーションを備えることができる。
【図面の簡単な説明】
【００１４】
【図１】本発明の実施の一例を示す眼鏡フレームであり、（ａ）は概略正面図、（ｂ）は概略側面図、（ｃ）は概略平面図である。
【図２】図１の眼鏡フレームのフロント部を示す概略斜視図である。
【図３】図１の眼鏡フレームの外側フレームを示し、（ａ）は概略平面図、（ｂ）は概略正面図である。
【図４】図１の眼鏡フレームの内側フレーム及び弾性連結体を共に示し、（ａ）は概略平面図、（ｂ）は概略正面図である。
【図５】内側フレーム及び弾性連結体についての説明図である。
【図６】従来の眼鏡フレームの一例を示す概略斜視図である。
【発明を実施するための形態】
【００１５】
図１は、本発明の実施の一例である眼鏡フレーム１０を示しており、（ａ）はその正面図、（ｂ）は側面図、（ｃ）は平面図である。図２は、眼鏡フレーム１０のフロント部を示す斜視図である。本発明の眼鏡フレーム１０は、外側フレーム２０及び内側フレーム５０により構成されていることを特徴としている。図３は眼鏡フレーム１０の外側フレーム２０を示し、（ａ）はその平面図、（ｂ）は正面図である。図４は眼鏡フレーム１０の内側フレーム５０及び弾性連結体７０を共に示し、（ａ）はその平面図、（ｂ）は正面図である。
【００１６】
すなわち、眼鏡フレーム１０は、一見すると通常のハーフリムタイプの外観を呈しているが、外側フレーム２０と内側フレーム５０とによって構成されている。外側フレーム２０には、外側フロント枠２１、蝶番３０及びテンプル３１が含まれ、外側フロント枠２１は鎧部２４を備える左右一対の外リム２２によって構成されている。内側フレーム５０には、内側フロント枠５１及び一対のレンズ６０が含まれ、内側フロント枠５１は左右一対の内リム５２及びブリッジ５３で構成されている。外側フレーム２０と内側フレーム５０とは、弾性連結体７０によって連結され、一体化されている。
【００１７】
左右一対の外リム２２は、互いに離間して設けられ、それぞれの外端部を構成する鎧部２４に蝶番３０を介してテンプル３１が回動可能に取り付けられている。しかしながら、一対の外リム２２の内側には、互いを連結するブリッジを備えていないので、外側フレーム２０は、単独では、左右がバラバラの状態となっている。この例において、外リム２２は、ハーフリムタイプで示されているが、フルリムタイプとすることも可能である。また、テンプル３１については金属製で示されているが、樹脂製とすることもできる。
【００１８】
蝶番３０は、外リム２２に対してテンプル３１を回動可能にするとともに、その回動範囲を制限するようになっている。すなわち、眼鏡フレーム１０の使用状態では、最大拡開状態以上に回動しないようになっており、不使用状態では、テンプル３１を内側に折り畳んでケースに収納できるようにしている。
【００１９】
図４に示すように、内側フレーム５０の内側フロント枠５１は、左右一対の内リム５２がブリッジ５３で連結され、左右一対のレンズ６０が取り付けられている。この例において、内リム５２は、ナイロールタイプ（ハーフリムタイプ）で示されているが、フルリムタイプとすることもできる。
【００２０】
図示された内リム５２は、通常のハーフリムタイプよりも短く形成されており、使用者の鼻に近い部分のみで構成されている。すなわち、内リム５２の長さはレンズ６０の外周の４分の１程度である。このような内側フロント枠５１は、レンズ６０との間で形状を合わせる部分が少なくなるので、製作が容易となり、レンズ６０面の曲率が大きい場合には特に有利となる。
【００２１】
内側フレーム５０と外側フレーム２０とは、ブリッジ５３と外リム２２との間を弾性連結体７０で連結することにより、一体化されている。すなわち、弾性連結体７０は、その内側固定部７１がブリッジ５３に固定され、外側固定部７２が外リム２２に固定されている。そして、弾性連結体７０は、外リム２２に沿うように形成されているので、眼鏡フレーム１０を正面から見ると、ブリッジ５３と外リム２２とが一体に、フロント枠を形成しているかのように見える。
【００２２】
図５に示すように、弾性連結体７０がブリッジ５３に連結されている内側固定部７１間の距離をｘとし、弾性連結体７０が外リム２２に連結されている外側固定部７２間の距離をｙとすると、ｘとｙとの好ましい関係を示すことができる。すなわち、当然ｙはｘよりも大きいのであるが、ｙはｘの３倍以上であることが好ましく、４倍から６倍の間とすることが特に好ましい。
【００２３】
本発明の眼鏡フレーム１０は、以上のような構成としたことによって、テンプル３１を大きく開いた場合には、その力は、外側フレーム２０の外リム２２から弾性連結体７０の外側固定部７２に作用することになる。したがって、弾性連結体７０は全体が変形することになるが、弾性連結体７０の内側固定部７１が剛性の高いブリッジ５３に固定されているので、その力はそれ以上に作用することはない。この結果、テンプル３１を大きく開いても、レンズ６０には全く影響を与えないことになる。
【００２４】
本発明の眼鏡フレーム１０は、非常に斬新なデザインを備えているが、決して奇抜ではなく、誰にでも受け入れられるデザインである。そして、外リム２２は、ハーフリムタイプとしたりフルリムタイプとしたりすることが可能であり、内リム５２は、ナイロールタイプとしたりフルリムタイプとしたりすることが可能である。また、テンプル３１は、金属製とすることも樹脂製とすることもできる。したがって、幅広いバリエーションを備えることになる。
【００２５】
なお、眼鏡フレーム１０では、ノーズパッド６１が内側フレーム５０に取り付けられる例を示したが、外側フレーム２０に取り付けることも可能である。
【符号の説明】
【００２６】
１０    眼鏡フレーム
２０    外側フレーム
２１    外側フロント枠
２２    外リム
３０    蝶番
３１    テンプル
５０    内側フレーム
５１    内側フロント枠
５２    内リム
５３    ブリッジ
６０    レンズ
６１    ノーズパッド
７０    弾性連結体
７１    内側固定部
７２    外側固定部
【図１】
0005190533.tif 000002
【図２】
0005190533.tif 000003
【図３】
0005190533.tif 000004
【図４】
0005190533.tif 000005
【図５】
0005190533.tif 000006
【図６】
0005190533.tif 000007